(57)【特許請求の範囲】
【請求項１】
上引き出しと下引き出しの間に配置され、上引き出しと下引き出しの間を塞ぐとともに、引き出しの手がかり空間を形成する引き出し部材であって、下引き出しに固定される固定部と、上引き出しに当接する当接部とからなり、固定部によって下引き出しの前板の内側に下側手がかり空間を形成するとともに、当接部によって上引き出しの前板の内側に上側手がかり空間を形成し、下側手がかり空間と上側手がかり空間で一体の手がかり空間を形成することを特徴とする引き出し部材。
【請求項２】
上引き出しと下引き出しの間に配置され、上引き出しと下引き出しの間を塞ぐとともに、引き出しの手がかり空間を形成する引き出し部材であって、上引き出しに固定される上部材と、下引き出しに固定される下部材からなり、上部材と下部材は各々引き出しに固定される固定部と、上引き出しと下引き出しの間を塞ぐ閉塞部とで構成され、上部材と下部材は上引き出しと下引き出しの間に上下対をなして対称的に配置され、上部材と下部材の各々の固定部によって、上引き出しと下引き出しの各々の前板の内側に手がかり空間を形成することを特徴とする引き出し部材。
【請求項３】
請求項１又は２に記載の引き出し部材であって、固定部を硬質樹脂で、当接部または閉塞部を軟質樹脂で一体の押し出し成型品としたことを特徴とする引き出し部材。
【請求項４】
請求項１、２、又は３に記載の引き出し部材であって、固定部が、前板の内側の角部に係合する位置決め部を備えていることを特徴とする引き出し部材。
【請求項５】
請求項１から４のいずれかに記載の引き出し部材であって、引き出しの正面側から見て左右端にパッキン部材を備えていることを特徴とする引き出し部材。
【請求項６】
引き出しとキャビネットの前桟又は天板の間に配置され、引き出しと前桟又は天板の間を塞ぐとともに、引き出しの手がかり空間を形成する引き出し部材であって、引き出しに固定される固定部と、前桟又は天板に当接する当接部とからなり、固定部によって引き出しの前板の内側に手がかり空間を形成し、引き出しの正面側から見て左右端にパッキン部材を備えていることを特徴とする引き出し部材。
【発明の詳細な説明】
【技術分野】
【０００１】
本発明は、引き出し部材に関し、特に、引き出しの間の収納空間の無駄をなくすために、引き出しの前板の内側に取り付ける引き出し部材に関する。
【背景技術】
【０００２】
図８（ａ）、（ｂ）は、従来知られている、システムキッチンや洗面化粧台等において、取手のない引き出し（以下、「取手レス引き出し」と言う。）を有する従来のキャビネット６０の正面図及び断面図を示している。
【０００３】
このような取手レス引き出し６１では、図８（ｂ）の一部を図８（ｄ）、（ｅ）に拡大図で示すように、上引き出し５及び下引き出し６を引き出すために、上引き出し５の前板９の下部及び下引き出し６の前板１０の上部に、それぞれの背面側から手をかけるための隙間１３が必要である。
【０００４】
しかし、この隙間１３を塞いでキャビネット６０内を密閉するために、図８（ｃ）に示すような取手レス用の閉鎖部材６２がキャビネット６０の本体に固定されている。具体的には、取手レス用の閉鎖部材６２の両端部をＬ型金具等（図示しない。）でキャビネット６０の両側の側板に固定される構成としている。
【０００５】
ところで、引き出し前板の下部裏側に帯状のフィラーを突出して設けた構成は公知である（特許文献１参照）。そして、上方の引き出しの下部裏側に軟質の隠し部材を設け上下の引き出しの前板部の間の隙間を隠す構成は公知である（特許文献２参照）。
【０００６】
さらに、引き出し前板の上部に取り付ける取手で、固定部を前板の裏側に設けたものは公知である（特許文献３参照）。そして、家具側方の隙間カバー材で、カバー材と取り付け部材を軟質樹脂材で繋いだものは公知である（特許文献４参照）。
【特許文献１】特許第３５０１０６１号公報
【特許文献２】特許第３５０１０８４号公報
【特許文献３】特開２００４−２１６０７５号公報
【特許文献４】特開２００４−３０５２８８号公報
【発明の開示】
【発明が解決しようとする課題】
【０００７】
図８に示す従来の引き出し６１では、図８（ｅ）に示すように、取手レス用の閉鎖部材６２がキャビネット６０の本体に固定されており、下引き出しに丈の高い瓶等の物品６３を収納しようとすると、下引き出し６を引き出す際に取手レス用の閉鎖部材６２に丈の高い物品６３等がひっかかってしまい収納できない。よって、キャビネット６０の本体内であって取手レス用の閉鎖部材６２の背面側の空間がデッドスペースとなって収納用空間として利用することができないという問題がある。
【０００８】
又、従来の、引き出し前板の下部裏側に帯状のフィラーを突出して設けた構成（特許文献１参照）、或いは上方の引き出しの下部裏側に軟質の隠し部材を設け上下の引き出しの前板部の間の隙間を隠す構成（特許文献２参照）は、あくまでも上下の隙間を覆うために設けたものであり、取手レス引き出しにおいて上下の引き出しの隙間から引き出しの裏側に手をかけて引き出す構成を前提としたものではないので、実際、取手レス引き出しにこのような従来例のフィラーや隠し部材を適用したら、引き出しの裏側に手をかけることができなくなってしまう。
【０００９】
本願発明は、従来の取手レス引き出しにおける上記のような問題点を解決することを目的とするものであり、引き出しの隙間を塞ぎ、しかもその背面側のデッドスペースを収納空間として有効利用する構成を実現する引き出し部材を実現することを課題とするものである。
【課題を解決するための手段】
【００１０】
本発明は上記課題を解決するために、上引き出しと下引き出しの間に配置され、上引き出しと下引き出しの間を塞ぐとともに、引き出しの手がかり空間を形成する引き出し部材であって、下引き出しに固定される固定部と、上引き出しに当接する当接部とからなり、固定部によって下引き出しの前板の内側に下側手がかり空間を形成するとともに、当接部によって上引き出しの前板の内側に上側手がかり空間を形成し、下側手がかり空間と上側手がかり空間で一体の手がかり空間を形成することを特徴とする引き出し部材を提供する。
【００１１】
本発明は上記課題を解決するために、上引き出しと下引き出しの間に配置され、上引き出しと下引き出しの間を塞ぐとともに、引き出しの手がかり空間を形成する引き出し部材であって、上引き出しに固定される上部材と、下引き出しに固定される下部材からなり、上部材と下部材は各々引き出しに固定される固定部と、上引き出しと下引き出しの間を塞ぐ閉塞部とで構成され、上部材と下部材は上引き出しと下引き出しの間に上下対をなして対称的に配置され、上部材と下部材の各々の固定部によって、上引き出しと下引き出しの各々の前板の内側に手がかり空間を形成することを特徴とする引き出し部材を提供する。
【００１３】
上記引き出し部材は、その固定部を硬質樹脂で、当接部または閉塞部を軟質樹脂で一体の押し出し成型品とすることが好ましい。
【００１４】
上記引き出し部材は、その固定部が、前板の内側の角部に係合する位置決め部を備えていることが好ましい。
【００１５】
本発明は上記課題を解決するために、引き出しとキャビネットの前桟又は天板の間に配置され、引き出しと前桟又は天板の間を塞ぐとともに、引き出しの手がかり空間を形成する引き出し部材であって、引き出しに固定される固定部と、前桟又は天板に当接する当接部とからなり、固定部によって引き出しの前板の内側に手がかり空間を形成し、上記引き出し部材又は上記引き出し部材に対して、引き出しの正面側から見て左右端にパッキン部材を備えていることを特徴とする引き出し部材を提供する。
【発明の効果】
【００１６】
本発明に係る引き出し部材によれば、次のような顕著な効果が生じる。
（１）上引き出し又は下引き出しの内側に手をかけて引き出すことができるとともに、上下の引き出しの間の隙間の背面側のキャビネット内の空間をデッドスペースとすることなく、収納空間として有効に利用することができるようになる。
（２）引き出し部材は、引き出しの前板裏面に装着すればよいので、引き出し部材及びその取付構造が簡単となる。
（３）前面側から見て、上下の引き出しの間の隙間を塞ぐことができるから、見栄えも良く、キャビネット内を閉じて塵、埃、虫等から保護できる。
【００１７】
（４）引き出し部材を最上段の引き出しに取り付けることで、最上段の引き出しとキャビネットの前桟若しくは天板の間の隙間を塞ぐことができるから、見栄えも良く、キャビネット内を閉じて塵、埃、虫等から保護できる。
（５）最上段の引き出しとキャビネットの前桟若しくは天板の間の隙間の背面側のキャビネット内の空間をデッドスペースとすることなく、収納空間として利用することができるようになる。
【発明を実施するための最良の形態】
【００１８】
本発明に係る引き出し部材を実施するための最良の形態を実施例に基づき図面を参照して、以下説明する。
【実施例１】
【００１９】
図１及び図２は、本発明に係る引き出し部材の実施例１の構成を説明する図である。図１（ａ）及び（ｂ）は、本発明に係る引き出し部材を適用したキャビネット１を閉じた状態の正面図及び断面図を示している。キャビネット１は、キッチンのキャビネットでもよいし、洗面化粧台のキャビネットでもよい。図１（ｃ）は、本発明に係る引き出し部材２の斜視図である。
【００２０】
キャビネット１は、キャビネット１の桟３上に天板４が載置されており、前方に引き出し可能な複数段の引き出し５〜８を備えている。１段目の引き出し５の前板９と２段目の引き出し６の前板１０の間、及び３段目引き出し７の前板１１と４段目の引き出し８の前板１２の間には、それぞれ隙間１３、１４があり、この隙間１３、１４に使用者は手を差し込んで、隙間１３、１４の上方の１段目、３段目の引き出し５、７（以下、「上引き出し」と言う。）又は下方の２段目、４段目の引き出し６、８（以下、「下引き出し」と言う。）を引き出すことが可能である。
【００２１】
本発明は、上引き出しと下引き出しの間の隙間を塞ぐための引き出し部材２を下引き出しに固定する構成を特徴とするものである。以下の実施例では、上引き出し及び下引き出しの例として、図２（ａ）に示すように、１段目の引き出し５及び２段目の引き出し６の構成において説明する。なお、図２（ｂ）は、図２（ａ）の引き出し部材２の取付部分の構造を拡大して示す図である。
【００２２】
上引き出し５（１段目の引き出し）は側板１５、底板１６、前板９及び背板１７（図１（ｂ）参照）から成る。前板９は、その下端が底板１６の下面より下方になるように、側板１５及び底板１６に固定されている。前板９の下端から底板１６までの間の部分である前板９の下部の内側部分１８（図２（ｂ）の要部拡大図参照）は手がかり部として機能する。下引き出し６（２段目の引き出し）も上引き出しと同様の構造であり、側板１９、底板２０、前板１０及び背板２１（図１（ｂ）参照）から成る。
【００２３】
上引き出し５と下引き出し６は、図２（ａ）に示すように、それぞれの前板９、１０が互いに間隔Ｄ１だけ離れるように配置され、この間隔Ｄ１に対応したキャビネット１内の空間（これを、「上下引き出し間の空間２２」という。）が存在する。
【００２４】
図２（ａ）、（ｂ）に示すように、上引き出し５と下引き出し６の間に位置し、上下引き出し間の空間２２を塞いで閉じるための引き出し部材２が下引き出し６の内側に固定されている。より詳細には、上引き出し５の前板９と下引き出し６の前板１０の内側であって、概ね上下の引き出しの前板９、１０の間に位置するように、引き出し部材２が下引き出し６の上部内側に固定され、上下引き出し間の空間２２を塞いで閉じるような構成とされる。
【００２５】
引き出し部材２は、図１（ｃ）にその斜視図を示し、図２（ｂ）にその断面図を示すが、全体的には横長の部材であり、下部の固定部２３と上部の可撓性を有する当接部２４とから成る。固定部２３は硬質樹脂で、当接部２４は軟質樹脂で、一体押し出し成形によって形成されている。硬質樹脂はＡＢＳ樹脂等の材料から形成し、軟質樹脂はスチレン系エラストマー等から形成するとよい。
【００２６】
なお、引き出し部材２は、固定部２３と当接部２４を別体でそれぞれ形成し、当接部２４を固定部２３に貼着等で取り付けるようにして形成してもよい。例えば、固定部２３を硬質樹脂又はアルミニウム等の金属で形成し、当接部２４を軟質樹脂で形成し、当接部２４を固定部２３に接着剤で貼着して形成してもよい。
【００２７】
固定部２３は、取付部２５と支持部２６とを備えている。取付部２５は、下引き出し６の前板の内側に当接する垂直部分２７と下引き出し６の上面に当接係合する係合部分２８とを備え、断面略  ┐型の形状（フック形状）をしている。
【００２８】
取付部２５の係合部分２８は、下引き出し６の前板１０の内側の角部に係合することで、固定部２３を前板１０に対して簡単に位置決めする位置決め部として機能する。このような位置決め部を設けると、固定部２３を引き出し６の前板１０に簡単且つ正確に位置決めして取り付けられるから取付の作業性を向上させることができる。
【００２９】
支持部２６は、垂直部分２７からキャビネット１内に水平に伸びる水平部分２９と起立部分３０とを備え、断面略  」型の形状をしている。
【００３０】
引き出し部材２は、図２（ｂ）に示すように、その取付部２５が下引き出し６の前板１０の上部内側に当接して位置決めされ、ねじで固定して取り付けられる。取付部２５と支持部２６との間に形成されているくぼみが、下側手がかり空間３１となる。使用者は、図２（ｃ）に示すように、この下側手がかり空間３１から取付部２５の内側に手をかけて、下引き出し６を前方に引き出すことができる。
【００３１】
起立部分３０の上端は、図２（ｂ）に示すように、上引き出し５の前板９の下端より、間隔Ｄ２を介して下方になるように形成されている。このように、起立部分３０の上端は、上引き出し５の前板９の下端より下方に形成されているから、固定部２３が硬質樹脂で形成されていても、下引き出し６の前方への引き出し動作に際して、起立部分３０の上端が上引き出し５の前板９に干渉することなく開閉動作の妨げとなることがない。
【００３２】
軟質樹脂で形成されている当接部２４は、支持部２６の上端から上引き出し５の前板９の内側に向けて伸びるように形成されており、上下の引き出し５、６を閉じた状態では、図２（ｂ）に示すように、当接部２４の上端が上引き出し５の前板９の内側に当接するように構成されている。この状態では、上引き出し５の前板９の内側と当接部２４との間に空間が形成されるような構成とし、この空間が上側手がかり空間３２となる。
【００３３】
使用者は、図２（ｄ）に示すように、上側手がかり空間３２から上引き出し５の前板９の内側に手をかけて、上引き出し５を前方に引き出すことができる。なお、当接部２４は軟質樹脂で形成されているので、使用者は上側手がかり空間３２から上引き出し５の前板９の内側に手をかける際に、当接部２４をキャビネット１の内方（図２（ｂ）、（ｄ）中の右方）に押しのけることもでき、当接部２４が邪魔となることはない。なお、下側手がかり空間３１と上側手がかり空間３２で一体の手がかり空間が形成されている。
【００３４】
図３（ａ）は、起毛（フリンジ）を有するパッキン３３を引き出し部材２の左右両側端に貼り付けた構成である。そして、図３（ｂ）は、軟質パッキン３４を引き出し部材２の固定部２３の左右両側端に貼り付けた構成である。このような構成とすると、引き出しを閉めた状態でのキャビネット１と引き出し部材２の左右両側端との隙間を封止して、キャビネット１内の気密性を高めるとともに、塵や埃が入り込んだり、害虫等が侵入したりすることを防止できる。
【００３５】
なお、起毛付きパッキン３３、軟質パッキン３４は、引き出し部材２の固定部２３の左右両側端にそれぞれ貼り付けた構成としているが、このような構成とすることなく、図示はしないが、起毛付きパッキン３３、軟質パッキン３４を、キャビネット１の両側の側板に互いに向き合うように貼り付ける等して固定し、引き出し部材２を閉じた際に、引き出し部材２の内側又は前側に当接し、キャビネット１と引き出し部材の左右両側端との隙間を封止する構成としてもよく、引き出し部材２とは別体のパッキン部材とセットするようなものでもよい。
【００３６】
（変形例）
図３（ｃ）、（ｄ）は、それぞれ本発明の実施例１の引き出し部材の変形例（別の態様）である引き出し部材３５、３６を示す図である。この引き出し部材３５、３６は、図２（ｂ）に示す実施例１の引き出し部材２とほぼ同じ構成であるが、固定部２３の取付部は、それぞれ支持部２６の水平部分２９と直交する垂直部分３７を有するが、図２（ｂ）に示すような係合部分２８のない簡単な構造としたものである。          
【００３７】
この引き出し部材２は、図３（ｃ）、（ｄ）に示すように、下引き出し６の前板１０の上部内側において、固定部２６によって下側手がかり空間３１を形成するように取り付けられる。この場合、図３（ｃ）では、下引き出し６の前板１０の上端より水平部分２９を下方にずらした状態で、固定部２３をねじで下引き出し６の前板１０に固定する。  
【００３８】
（実施例１の作用）                                    
本発明の実施例１の作用を、図１〜３及び図４で以下説明する。図１、２は、本発明の引き出し部材２を適用したキャビネット１を閉じた状態であるが、図４（ａ）〜（ｃ）は、下引き出し６内に物が収納されている使用状態を説明する図である。
【００３９】
引き出しが閉じられている状態では、引き出し部材２は、図１、図２（ａ）、図４（ａ）に示すように、当接部２４が上引き出し５の前板９の内側に当接し、キャビネット１内が密閉される。なおこの場合、図３（ａ）、（ｂ）に示すような起毛付きパッキン３３、軟質パッキン３４を引き出し部材２の左右両側端に貼り付けて設けると、よりキャビネット１の密閉性を高めることができ、塵、埃、害虫等が入りにくくなる。
【００４０】
使用者が下引き出し６を開く時には、図２（ｃ）、図４（ａ）、（ｂ）に示すように、手を下側手がかり空間３１内に入れ、その前板１０の上部内側に掛けて前方に引き出せばよい。使用者が上引き出し５を開く時には、図２（ｄ）に示すように、手を上側手がかり空間３２内に入れてその前板９の下部内側に掛けて前方に引き出せばよい。
【００４１】
ところで、図８に示すような従来のキャビネット６０では、前述のとおり、下引き出し６に丈の高い瓶６３等を収納しようとすると、その上端が取手レス用の閉鎖部材６２に引っ掛かって下引き出し６が開かなくなるので収納できない（図８（ｅ）参照）。このために、キャビネット６０の上下の引き出し５、６間の空間内への収納が制限され、キャビネット６０内にデッドスペースが生じてしまう。
【００４２】
しかし、本願発明では、図４（ａ）〜（ｃ）に示すように、下引き出し６に丈の高い瓶３８等が収納され、下引き出し６から上下引き出し間の空間２２内に瓶３８の上端が伸びていても、図４（ｂ）、（ｃ）に示すように、引き出し部材２は下引き出し６とともに前方に引き出すことができるから、瓶３８が引き出し部材２に引っ掛かることがないので、下引き出し６をスムースに前方に開くことができる。
【００４３】
よって、本発明によれば、上下引き出し間の空間２２をデッドスペースとすることなく、収納空間として有効に活用することができる。
【００４４】
なお、下引き出し６を開く際には、図４（ａ）に示すように、引き出し部材２の当接部２４が上引き出し５の前板９の内側に当接するが、当接部２４は軟質樹脂で形成されているから、図４（ｂ）に示すように、キャビネット１の内方側にめくれて、なんら支障なく引き出すことができる。
【実施例２】
【００４５】
図５、６は、実施例２を説明する図である。この実施例２の引き出し部材４０、４１は、図５（ａ）の上下にそれぞれ断面を示し、図５（ｂ）の上下にそれぞれ斜視図を示すような、全体的には横長の部材である。この実施例２では、引き出し部材４０は上部材として、引き出し部材４１は下部材として、図６（ａ）に示すように上下一対をなすように、上下の引き出し５、６の前板９、１０にそれぞれ取り付けて使用する構成を特徴とする。
【００４６】
上部材、下部材として上下一対をなす引き出し部材４０、４１は、それぞれ図５（ａ）、（ｂ）に示すように、互いに略同じ構造であるが、図５（ａ）、（ｂ）に示す例では、後述するように互いの閉塞部４２、４３の断面形状が異なる。引き出し部材４０は、固定部４４と可撓性の閉塞部４２とから成り、引き出し部材４１は、固定部４４と可撓性の閉塞部４３とから成る。
【００４７】
引き出し部材４０、４１は、実施例１と同様に、それぞれ固定部４４は硬質樹脂で、閉塞部４２、４３は軟質樹脂で、一体押し出し成型することで形成する。固定部４４は、取付部４５と支持部４６とを備えている。
【００４８】
取付部４５は、上下の引き出し５、６の前板９、１０の内側に当接する垂直部分４７と、下引き出し６の上面又は上引き出し５の下面に当接係合する係合部分４８とを備え、断面略  ┐型の形状（フック形状）をしている。この取付部４５は、実施例１の引き出し部材２の取付部２５と同様に、引き出しの前板９、１０の角部に係合して固定部４４を前板９、１０に対して簡単に位置決めする位置決め部として機能する。
【００４９】
支持部４６は、垂直部分４７からキャビネット１内に水平に伸びる水平部分４９と起立部分５０とを備え、断面略  」型の形状をしている。図６（ａ）に示すように、上引き出し部材４０は、前板９に固定した状態で、支持部４６の起立部分５０の下端が前板９の下端と略同じ位置（高さ）となるように、形成されている。同様に、下引き出し部材４１は、前板１０に固定した状態で、支持部４６の起立部分５０の上端が前板１０の上端と略同じ位置（高さ）となるように、形成されている。
【００５０】
図５（ａ）、（ｂ）に示すように、閉塞部４２、４３は、支持部４６、４６の起立部分５０、５０から延長して直線状に伸びるよう形成されている。そして、図６（ａ）に示すように、一対の引き出し部材４０、４１を上下引き出し５、６の前板９、１０に固定した状態で、閉塞部４２、４３は、支持部４６、４６から下方、上方に伸び、互いに当接してキャビネットを閉じるように形成されている。
【００５１】
この図５（ａ）、（ｂ）に示す態様では、上引き出し部材４０の閉塞部４２は、その先端に向かうに従ってキャビネット１の内側に向けて傾斜し、下引き出し部材４１の閉塞部４３は、その先端に向かうに従ってキャビネット１の外側に向けて傾斜し、互いに対称的にテーパ状に形成されている。これにより、上下の引き出しに固定された場合に、図６（ａ）に示すように、閉塞部４２、４３は、互いに当接すると、その重なり部５１は長手方向にわたって厚みが変わることなく重なり合うようになる。
【００５２】
なお、上下の引き出し部材４０、４１は、図５（ｃ）に示すように、互いに全く同じ構成のものであってもよい。即ち、図５（ｃ）に示す上下の引き出し部材４０、４１は、それぞれ閉塞部４２、４３が先端に向けてキャビネット１の内外両側から徐々に細くなるようにテーパ状に形成されている。
【００５３】
そして、図５（ｄ）、（ｅ）は、下引き出し部材４１における固定部４４の別の態様を示す図であり、下引き出し部材４１を示すが、上引き出し部材４０も同じである。図５（ｄ）に示す固定部４４は、その垂直部分４７は支持部４６との結合部よりさらに延長して伸びており、この伸びた部分を引き出し部材２の前板にねじ止め可能な構成としたものである。また、図５（ｅ）に示す固定部４４は、係合部分４８がなく垂直部分４７だけの構成としたものである。                                    
【００５４】
なお、図５に示す引き出し部材４０、４１についても、それぞれその両端に、実施例１と同様に、図３（ａ）に示すような起毛付きパッキン３３又は図３（ｂ）に示すような軟質パッキン３４を、引き出し部材４０、４１の左右両側端に貼り付けた構成としてもよい。
【００５５】
（実施例２の作用）
引き出し部材４０は上部材として、引き出し部材４１は下部材として、図６（ａ）に示すように、それぞれ上引き出し５の前板９の下部と下引き出し６の前板１０の上部に、上下対称となるように、取り付けられる。この場合、上下の引き出し部材４０、４１の閉塞部４２、４３は互いに当接して重なり部５１を形成し、キャビネットを閉じるように取り付けられる。そして、上下の引き出し部材４０、４１は、それぞれ垂直部分４７と起立部分５０との間に、上下の手がかり空間５２、５３が形成される。
【００５６】
この実施例２によれば、上引き出し５の前板９と下引き出し６の前板１０の間の寸法が若干異なった複数種のキャビネット１に対しても、上下の引き出し部材４０、４１の閉塞部４２、４３を、互いに当接して重なり合う範囲を若干異ならせ、キャビネットを閉じるように取り付けることができる。よって、いろいろな寸法のキャビネット１に、幅広く適用可能である。
【００５７】
そして、図６（ａ）に示すように、下引き出し６内に収納した丈の高い物品５４が、上引き出し５の前板９及び引き出し部材４０の固定部４４より下方の高さ（図６（ａ）の物品５４では間隔Ｄ２の隙間がある。）であれば、その物品５４は、図６（ｂ）に示すように、前板９に干渉することなく、下引き出し６を前方に引き出すことができる。
【００５８】
また、この引き出しの際に物品５４が閉塞部４２に当接しても、図６（ｂ）に示すように、閉塞部４２は可撓性であるから物品５４で押しのけられて、その通過を阻害することはない。よって、本発明によれば、間隔Ｄ１で示される上下引き出し間の空間２２をデッドスペースとすることなく、収納空間として有効に活用することができる。
【実施例３】
【００５９】
図７は、実施例３を説明する図である。この実施例３では、実施例２と同様の引き出し部材４１を、図７（ａ）に示すように、最上段の引き出し５（１段目の引き出し５）の前板９の上端に固定すると、引き出し５の上方の空間をデッドスペースとすることなく、収納空間として有効に利用することができる。
【００６０】
即ち、図示はしないが従来は、最上段の引き出し５の前板９とキャビネットの前桟３の間（又は最上段の引き出しの前板と天板４の間）を前方から隠すために、図８（ｂ）に示すような取手レス用の閉鎖部材６２をキャビネットの両側板の間に取り付けているが、そのような構成とすると、この取手レス用の閉鎖部材６２に係合するような丈の高い物品は収納できない。
【００６１】
しかしながらこの実施例３では、引き出し部材４１を、図７（ａ）に示すとおり、その固定部４４を最上段の引き出し５の前板９の上端内側に固定し、閉塞部４３をキャビネットの前桟３の内側に当接するように、固定する構成とすると、キャビネット内の最上段の引き出し５と前桟３の間の隙間を閉じてキャビネット内を密閉し、害虫や塵、埃等の侵入を防止することができる。
【００６２】
そして、このように引き出し部材４１を、引き出し５の前板９に取り付ける構成とすると、キャビネットの前桟３の下端より下方の高さの物品５５であれば、図７（ｂ）に示すように、物品５５が、引き出し部材４１にも前桟３にも干渉することなく、引き出し５を前方に引き出すことができる。よって、引き出し５の上方であってキャビネット１の前桟３の下端までの空間５６（図７（ｂ）中、間隔Ｄ１で示す空間。）をデッドスペースとすることなく、収納空間として有効に活用することができる。なお、この実施例３においては、引き出し部材４１の垂直部分４７と起立部分５０との間に、手がかり空間５９が形成される。
【００６３】
図７（ｃ）に示す引き出し部材５７は、最上段の引き出し５の前板９に取り付けるための専用の構造とした態様を示している。この態様では、例えば、引き出し５の前板９とキャビネットの前桟３との間隔が小さい場合等、その間隔に合わせて引き出し部材５７の幅ｗを小さな寸法とする、或いは、前桟３への当接力をより強めるために、閉塞部５８を図７（ｃ）に示すような湾曲形状にする等、最上段の引き出し専用の構造に形成する。
【００６４】
なお、図７（ａ）〜（ｃ）では、引き出し部材４１、５７を、キャビネットの前桟３の下端が天板４の下端より下方にあるキャビネットに適用した例について説明したが、図７（ｄ）に示すように、引き出し部材５７を、天板５の下端がキャビネットの前桟３より下方にあるキャビネットに適用し、閉塞部５８を天板４の内側に当接する構成としても同様の作用効果が生じる。
【００６５】
以上、本発明に係る引き出し部材を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６６】
以上、本発明に係る引き出し部材をキッチン又は洗面化粧台のキャビネットに適用した例を説明したが、本発明の引き出し部材は、取手レスの引き出しであれば、一般の家具、その他密閉性の求められた業務用の引き出し等にも適用可能である。
【図面の簡単な説明】
【００６７】
【図１】本発明の実施例１を示し、（ａ）、（ｂ）はキャビネットを閉じた状態での正面図、断面図を示し、（ｃ）は本発明の引き出し部材の斜視図を示す。
【図２】本発明の実施例１を示し、（ａ）はキャビネットの断面の一部を示し、（ｂ）は引き出し部材の断面及びその取付状態を示し、（ｃ）、（ｄ）は使用状態を示す図である。
【図３】本発明の実施例１を示し、（ａ）、（ｂ）はパッキンを有する引き出し部材２を示し、（ｃ）、（ｄ）は引き出し部材２の変形例を示す。
【図４】本発明の実施例１の作用を説明する図であり、（ａ）、（ｂ）は引き出しを開く前後の使用状態の拡大図を説明する図であり、（ｃ）は引き出しを開いた全体の状態を示す。
【図５】（ａ）、（ｂ）は本発明の実施例２の引き出し部材の構成を示し、（ｃ）〜（ｅ）は、実施例の別の態様を示す図である。
【図６】本発明の実施例２の作用を説明する図であり、（ａ）は引き出し部材を取り付けた状態であり、（ｂ）は引き出しを開いた状態を説明する図である。
【図７】（ａ）、（ｂ）は本発明の実施例３を説明する図であり、さらに（ｃ）、（ｄ）は、それぞれこの実施例３の別の態様を説明する図である。
【図８】従来例を説明する図であり、（ａ）、（ｂ）はキッチンのキャビネット閉じた状態での正面図、断面図を示し、（ｃ）は本発明の引き出し部材２の斜視図を示し、（ｄ）、（ｅ）は開く前後の使用状態の拡大図を説明する図である。
【符号の説明】
【００６８】
１、６０  キャビネット                                           
２、３５、３６、４０、４１、５７  引き出し部材                   
３  キャビネットの前桟                                           
４  天板                                                         
５  １段目の引き出し（上引き出し、最上段の引き出し）             
６  ２段目の引き出し（下引き出し）                               
７、８  引き出し                                                 
９、１０、１１、１２  前板                                       
１３、１４  隙間                                                 
１５、１９  引き出しの側板                                       
１６、２０  引き出しの底板                                       
１７、２１  引き出しの背板                                       
１８  前板の下部の内側部分                                       
２２  上下引き出し間の空間                                       
２３、４４  引き出し部材の固定部                                 
２４  引き出し部の当接部                   
２５、４５  固定部の取付部                                       
２６、４６  固定部の支持部                                       
２７、３７、４７  取付部の垂直部分                               
２８、４８  取付部の係合部分                                     
２９、４９  支持部の水平部分                                     
３０、５０  支持部の起立部分                                     
３１、５３  下側手がかり空間                                     
３２、５２  上側手がかり空間                                     
３３  起毛付きパッキン                                           
３４  軟質パッキン                                               
３８、５４、６３  丈の高い物品
４２、４３、５８  引き出し部材の閉塞部                                 
５５  物品                                                       
５６  空間 
５９  手がかり空間                                                      
６１  取手レス引き出し                                           
６２  取手レス用の閉鎖部材                                       
【図１】
0004797684.tif 000002
【図２】
0004797684.tif 000003
【図３】
0004797684.tif 000004
【図４】
0004797684.tif 000005
【図５】
0004797684.tif 000006
【図６】
0004797684.tif 000007
【図７】
0004797684.tif 000008
【図８】
0004797684.tif 000009